(57)【要約】【課題】インデックス画像表示のような画像の一覧表示の状態であっても、その画像に関する属性情報を認識できるようにする。【解決手段】所定の属性情報、例えば撮影日付情報の画像６１と、属性処理手段が収集した該撮影日付情報を有する画像６２とを、表示画面７ａ上に一覧表示させることで、１コマ再生の画像として拡大せずに画像６２を一覧表示させた状態であっても、同時に表示される撮影日付情報の画像６１によって、その画像６２の撮影日付を認識することができるようにした。【選択図】        図１２−１
2009141426.tif 000002
【特許請求の範囲】
【請求項１】
記憶手段に記憶された画像及び該画像が有する属性情報を表示画面上に表示させる表示制御手段と、
前記記憶された画像中から、所定の属性情報を有する画像を収集する属性処理手段と、
を備え、
前記表示制御手段は、前記所定の属性情報と、前記属性処理手段が収集した該所定の属性情報を有する画像とを、前記表示画面上に一覧表示させることを特徴とする画像表示装置。
【請求項２】
前記表示制御手段は、複数の前記所定の属性情報と、各々の前記所定の属性情報を有する画像とを、対応付けて前記表示画面上に一覧表示させることを特徴とする請求項１に記載の画像表示装置。
【請求項３】
前記表示制御手段は、前記所定の属性情報を、一覧表示する画像の態様の画像として生成し表示させることを特徴とする請求項１または２に記載の画像表示装置。
【請求項４】
前記所定の属性情報は、前記画像の撮影日時、編集日時、撮影場所、撮影者、撮影モード、焦点距離、画像サイズ、ＩＳＯ感度、シャッタ速度、絞り値、開放絞り値、露出補正値、フラッシュ発光の有無、フラッシュ光量補正値、ホワイトバランス、ホワイトバランス補正値、のうちのいずれか一つ又は複数の組み合わせであることを特徴とする請求項１〜３のいずれか一つに記載の画像表示装置。
【請求項５】
画像を記憶する記憶手段を有する画像表示装置に実行させる画像表示プログラムであって、
前記画像表示装置に、
前記記憶手段に記憶された画像及び該画像が有する属性情報を表示画面上に表示させる表示制御機能と、
前記記憶された画像中から、所定の属性情報を有する画像を収集する属性処理機能と、
を実行させ、
前記表示制御機能は、前記所定の属性情報と、前記属性処理機能が収集した該所定の属性情報を有する画像とを、前記表示画面上に一覧表示させることを特徴とする画像表示プログラム。
【請求項６】
前記表示制御機能は、複数の前記所定の属性情報と、各々の前記所定の属性情報を有する画像とを、対応付けて前記表示画面上に一覧表示させることを特徴とする請求項５に記載の画像表示プログラム。
【請求項７】
前記表示制御機能は、前記所定の属性情報を、一覧表示する画像の態様の画像として生成し表示させることを特徴とする請求項５または６に記載の画像表示プログラム。
【請求項８】
前記所定の属性情報は、前記画像の撮影日時、編集日時、撮影場所、撮影者、撮影モード、焦点距離、画像サイズ、ＩＳＯ感度、シャッタ速度、絞り値、開放絞り値、露出補正値、フラッシュ発光の有無、フラッシュ光量補正値、ホワイトバランス、ホワイトバランス補正値、のうちのいずれか一つ又は複数の組み合わせであることを特徴とする請求項５〜７のいずれか一つに記載の画像表示プログラム。
【発明の詳細な説明】
【技術分野】
【０００１】
本発明は、デジタルカメラ等の画像機器に適用される画像表示装置及び画像表示プログラムに関するものである。
【背景技術】
【０００２】
従来より、ＬＣＤ表示画面を備えるデジタルカメラでは、画像再生機能を備え、撮影されて内部メモリやメモリカード等に記憶された画像中からユーザの希望に応じて所望の画像をＬＣＤ表示画面上に再生表示可能に構成されている。特に、近年では、メモリ容量の増大に伴い、デジタルカメラはメモリに多数の画像を記憶させることが可能となっている。このような状況下では、１枚１枚画像をコマ送りして再生表示していたのでは、ユーザが所望する画像を探し出すのに手間がかかってしまうという問題がある。
【０００３】
そこで、一般には、再生モード中に、複数のサムネイル画像（原画像の縮小画像）で構成されるインデックス画像を表示画面上に一覧表示させることで、検索に要する時間を短縮できるようにしている。ここで、所望の画像検索の目安の一つとして、例えば撮影日付が利用されるが、インデックス画像表示にあっては、コマ送り画像の場合と異なり、撮影日付の情報の表示は小さくなって認識しにくいものとなる。よって、撮影日付を確認したい場合には、インデックス画像中の所望のサムネイル画像を指定して表示画面上に１コマ画像として拡大表示させて、撮影日付も拡大表示させることで確認する必要があり、不便である。
【０００４】
このような不便をなくすため、撮影画像に対応付けられた撮影日付に応じて異なる色の表示枠で各サムネイル画像を囲んで配列表示さることで、インデックス画像表示の状態であっても同一日付で撮影された画像であることを容易に識別できるようにした提案例がある（例えば、特許文献１参照）。
【０００５】
【特許文献１】特開２００６−１４０７３２号公報
【発明の開示】
【発明が解決しようとする課題】
【０００６】
しかしながら、特許文献１に記載のものは、インデックス画像表示において、撮影日付の識別、すなわち、同じ日に撮影した画像であるか違う日に撮影した画像であるかの識別はできるものの、依然として、画像自体の撮影日付は、１コマ画像に拡大表示させないと分らない。
【０００７】
本発明は、上記に鑑みてなされたものであって、インデックス画像表示のような画像の一覧表示の状態であっても、その画像に関する属性情報を認識することができる画像表示装置及び画像表示プログラムを提供することを目的とする。
【課題を解決するための手段】
【０００８】
上述した課題を解決し、目的を達成するために、本発明にかかる画像表示装置は、記憶手段に記憶された画像及び該画像が有する属性情報を表示画面上に表示させる表示制御手段と、前記記憶された画像中から、所定の属性情報を有する画像を収集する属性処理手段と、を備え、前記表示制御手段は、前記所定の属性情報と、前記属性処理手段が収集した該所定の属性情報を有する画像とを、前記表示画面上に一覧表示させることを特徴とする。
【０００９】
また、本発明にかかる画像表示装置は、上記発明において、前記表示制御手段は、複数の前記所定の属性情報と、各々の前記所定の属性情報を有する画像とを、対応付けて前記表示画面上に一覧表示させることを特徴とする。
【００１０】
また、本発明にかかる画像表示装置は、上記発明において、前記表示制御手段は、前記所定の属性情報を、一覧表示する画像の態様の画像として生成し表示させることを特徴とする。
【００１１】
また、本発明にかかる画像表示装置は、上記発明において、前記所定の属性情報は、前記画像の撮影日時、編集日時、撮影場所、撮影者、撮影モード、焦点距離、画像サイズ、ＩＳＯ感度、シャッタ速度、絞り値、開放絞り値、露出補正値、フラッシュ発光の有無、フラッシュ光量補正値、ホワイトバランス、ホワイトバランス補正値、のうちのいずれか一つ又は複数の組み合わせであることを特徴とする。
【００１２】
また、本発明にかかる画像表示プロクラムは、画像を記憶する記憶手段を有する画像表示装置に実行させる画像表示プログラムであって、前記画像表示装置に、前記記憶手段に記憶された画像及び該画像が有する属性情報を表示画面上に表示させる表示制御機能と、前記記憶された画像中から、所定の属性情報を有する画像を収集する属性処理機能と、を実行させ、前記表示制御機能は、前記所定の属性情報と、前記属性処理機能が収集した該所定の属性情報を有する画像とを、前記表示画面上に一覧表示させることを特徴とする。
【００１３】
また、本発明にかかる画像表示プロクラムは、上記発明において、前記表示制御機能は、複数の前記所定の属性情報と、各々の前記所定の属性情報を有する画像とを、対応付けて前記表示画面上に一覧表示させることを特徴とする。
【００１４】
また、本発明にかかる画像表示プロクラムは、上記発明において、前記表示制御機能は、前記所定の属性情報を、一覧表示する画像の態様の画像として生成し表示させることを特徴とする。
【００１５】
また、本発明にかかる画像表示プロクラムは、上記発明において、前記所定の属性情報は、前記画像の撮影日時、編集日時、撮影場所、撮影者、撮影モード、焦点距離、画像サイズ、ＩＳＯ感度、シャッタ速度、絞り値、開放絞り値、露出補正値、フラッシュ発光の有無、フラッシュ光量補正値、ホワイトバランス、ホワイトバランス補正値、のうちのいずれか一つ又は複数の組み合わせであることを特徴とする。
【発明の効果】
【００１６】
本発明にかかる画像表示装置及び画像表示プログラムは、所定の属性情報と、属性処理手段が収集した該所定の属性情報を有する画像とを、表示画面上に一覧表示させるようにしたので、画像を一覧表示させた状態であっても、同時に表示される属性情報によって、その画像の属性情報を認識することができるという効果を奏する。
【発明を実施するための最良の形態】
【００１７】
以下、図面を参照して、本発明の画像表示装置および画像表示プログラムにかかる好適な実施の形態について説明する。以下の実施の形態は、画像表示装置として、いわゆるコンパクトタイプのデジタルカメラへの適用例を示すが、本発明の適用はデジタルカメラに限定されるものではない。
【００１８】
（実施の形態１）
図１は、本実施の形態１にかかるデジタルカメラの外観を示す概略正面図であり、図２は、その概略背面図である。図１に示すように、デジタルカメラ１は、カメラ本体２の前面側に撮影レンズ３やフラッシュ撮影用のフラッシュ発光部４を備える。また、カメラ本体２は、上部に、電源オン／オフ用のパワースイッチ５や、撮影指示用のレリーズボタン６を備える。一方、カメラ本体２の背面側には、例えばＴＦＴ駆動方式のＬＣＤ表示部７の表示画面７ａが配置されている他、ズーム用のＷボタン（広角側）８、ズーム用のＴボタン（望遠側）９、再生ボタン１０、撮影ボタン１１、メニューボタン１２、上ボタン１３、下ボタン１４、左ボタン１５、右ボタン１６、ＯＫボタン１７等が配置されている。
【００１９】
Ｗボタン８，Ｔボタン９は、撮影レンズ３を広角方向又は望遠方向に駆動指示させるためのものである。ここで、再生モードにおいて、Ｗボタン８を押下することで、後述するサムネイル画像によるインデックス画像一覧表示の指示が可能とされ、Ｔボタン９を押下することで１コマ画像表示、さらにはその拡大表示の指示が可能とされている。再生ボタン１０は、撮影した画像や撮影済みの画像を表示画面７ａ上に再生表示させる再生モードに設定するためのボタンである。撮影ボタン１１は、画像を撮影する撮影モードに設定するためのボタンである。
【００２０】
また、メニューボタン１２は、動作環境設定等を行うための各種メニューを表示画面７ａ上に表示させるためのボタンである。上ボタン１３、下ボタン１４、左ボタン１５、右ボタン１６は、表示画面７ａ上に表示されているメニュー画面上の選択位置を上下左右に移動させることで所望欄を選択指定したり、再生モードにおいて表示画面７ａ上に表示される画像に対する選択指定したり、画面をスクロールさせたりするために用いられるボタンである。ＯＫボタン１７は、上ボタン１３、下ボタン１４、左ボタン１５、右ボタン１６により選択指定された内容に確定するためのボタンである。
【００２１】
つづいて、本実施の形態１にかかるデジタルカメラ１のハードウエア構成およびその作用について概略的に説明する。図３は、デジタルカメラ１のハードウエア構成例を示す概略ブロック図である。デジタルカメラ１は、撮影レンズ３の光軸上に順に配設されたシャッタ２１、絞り２２及び撮像素子、例えばＣＣＤ２３を備える。ＣＣＤ２３の出力側には、ＣＣＤ２３によって光電変換されて出力されるアナログ信号をデジタルの画像信号に変換するＡ／Ｄ変換器２４を備える。また、デジタルカメラ１は、Ａ／Ｄ変換器２４やＣＣＤ２３の動作を制御するＣＣＤ制御回路２５や、撮影レンズ３、シャッタ２１および絞り２２の動作を制御するレンズ／シャッタ／絞り制御回路２６を備える。
【００２２】
また、デジタルカメラ１は、デジタルカメラ１全体の制御を司るＣＰＵ２７が内蔵されたＡＳＩＣ（Application Special Integrated Circuit）２８を備える。このＡＳＩＣ２８は、ＣＰＵ２７の他に、前処理部２９、画像処理部３０、ＡＥ／ＡＦ／ＡＷＢ検出部３１、ＳＲＡＭ３２、ビデオコンバータ３３、メカコントローラ３４およびフラッシュコントローラ３５を備え、ＣＰＵ２７に対してバス３６を介して接続されている。
【００２３】
ここで、前処理部２９は、ＣＣＤ２３からＡ／Ｄ変換器２４を介して入力される画像データに対して必要な前処理を施す。また、画像処理部３０は、前処理済みの画像データに対して各種画像処理、例えばＩＳＯ感度設定、輝度／色信号生成、γ補正、画像圧縮等の処理を必要に応じて施し、所定フォーマットのカラー画像信号に変換する。ＡＥ／ＡＦ／ＡＷＢ検出部３１は、撮影時のＡＥ（自動露出）／ＡＦ（自動焦点）／ＡＷＢ（オートホワイトバランス）の調整・検出処理を行い、絞り値または開放絞り値、焦点距離、ホワイトバランスまたはホワイトバランス補正値を設定するためのものである。ＳＲＡＭ３２は、各種データを一時的に格納する。ビデオコンバータ３３は、ＬＣＤ表示部７やビデオ出力端子３７に対して出力される画像データを表示データ用に変換するためのものである。メカコントローラ３４は、レンズ／シャッタ／絞り制御回路２６を介して撮影レンズ３、シャッタ２１および絞り２２の動作を制御し、または、状態情報を取得するためのものである。フラッシュコントローラ３５は、フラッシュ制御回路３８を介してフラッシュ発光部５の発光動作を制御する。また、パワースイッチ５やレリーズボタン６等のスイッチ群３９や、ＬＥＤ群４０やＧＰＳ４１等の入出力デバイスは、ＣＩＳＣ４２を介してＣＰＵ２７に接続され、ＣＰＵ２７によって入出力情報が管理される。ここで、本実施の形態においては、ＧＰＳ(Global Positioning System)４１を備えることで、撮影時の撮影場所の取得が可能とされている。
【００２４】
さらに、ＡＳＩＣ２８に対しては、ＳＤＲＡＭ４２やＦＬＡＳＨＲＯＭ４３が接続されている他、ＵＳＢＩ／Ｆ４４を介してパソコン等の外部機器との接続が可能とされている。また、カメラ本体２に対して挿脱自在なメモリカード４５がカードＩ／Ｆ４６を介してＡＳＩＣ２８に接続されている。ＳＤＲＡＭ４２やメモリカード４５は、画像データを格納するためのメモリである。ここで、ＳＤＲＡＭ４２やメモリカード４５に格納される画像データには、既存の技術により、各画像データが有する各種の属性情報がＥｘｉｆフォーマットに従い付帯される。この付帯情報としては、カレンダー機能に基づき取得された各画像の撮影日時に関する属性情報が代表的であり、基本的には、撮影日時の情報に基づき各画像がファイル管理されるよう格納される。撮影日時以外の属性情報としては、各画像の編集日時、撮影場所、撮影者、撮影モード、焦点距離、画像サイズ、ＩＳＯ感度、シャッタ速度、絞り値、開放絞り値、露出補正値、フラッシュ発光の有無、フラッシュ光量補正値、ホワイトバランス、ホワイトバランス補正値等がある。
【００２５】
また、本実施の形態１のデジタルカメラ１は、電池４７または交流電源Ａ／Ｃ４８から供給される電力に基づき各部に電源を供給する電源回路４９を備える。
【００２６】
ＣＰＵ２７は、ＦＬＡＳＨＲＯＭ４３に格納された制御プログラムに従いカメラ全体の制御を行う。ここで、本実施の形態１のデジタルカメラ１は、表示制御部５０と属性処理部５１とを備える。表示制御部５０は、ＳＤＲＡＭ４２あるいはメモリカード４５に記憶された画像及び該画像が有する属性情報をＬＣＤ表示部７の表示画面７ａ上に表示させる機能に加えて、各種属性情報中の所定の属性情報と、属性処理部５１が収集した該所定の属性情報を有する画像とを、表示画面上７ａに一覧表示させる機能を有する。表示制御部５０の機能（表示制御機能）は、ＦＬＡＳＨＲＯＭ４３に格納された画像表示プログラムをＣＰＵ２７が実行することにより実現される機能である。また、属性処理部５１は、ＳＤＲＡＭ４２あるいはメモリカード４５に記憶された画像中から、所定の属性情報を有する画像を収集する機能を有する。属性処理部５１の機能（属性処理機能）は、ＦＬＡＳＨＲＯＭ４３に格納された画像表示プログラムをＣＰＵ２７が実行することにより実現される機能である。
【００２７】
つづいて、表示制御部５０および属性処理部５１の機能を持たせたＣＰＵ２７により実行される本実施の形態１の動作制御例について説明する。図４は、本実施の形態１における動作制御例の前半部分を示す概略メインフローチャートであり、図５は、動作制御例の後半部分を示す概略メインフローチャートであり、図６は、図５の処理に続く特徴部分の表示動作制御例を示す概略フローチャートであり、図７は、図６の処理に続く動作制御例を示す概略フローチャートである。なお、この処理例では、各画像の所定の属性情報として、撮影日時の情報を用いるように設定されているものとする。
【００２８】
まず、パワースイッチ５がオンされた否かをチェックし（ステップＳ１）、オンしていなければ（ステップＳ１：Ｎｏ）、オンされるまで待機する。パワースイッチ５がオンされると（ステップＳ１：Ｙｅｓ）、各部の初期化処理を実行し（ステップＳ２）、表示画面７ａには撮影待機画面表示を行う（ステップＳ３）。そして、キー入力待ち状態となり、キー状態のチェックを行う（ステップＳ４）。キー状態のチェックにおいて、パワースイッチ５がオフされた場合には（ステップＳ５：Ｙｅｓ）、終了処理を行う（ステップＳ６）。また、レリーズボタン６がオンされた場合には（ステップＳ７：Ｙｅｓ）、撮影処理を実行する（ステップＳ８）。また、メニューボタン１２がオンされた場合には（ステップＳ９：Ｙｅｓ）、必要なメニュー処理を実行する（ステップＳ１０）。さらに、再生ボタン１０がオンされた場合には（ステップＳ１１：Ｙｅｓ）、再生モードとして図５に示す処理に移行する。
【００２９】
再生モードの処理では、まず、表示画面７ａに対して１コマ再生の処理を実行する（ステップＳ１２）。この再生状態において、キー入力待ち状態となり、キー状態のチェックを行う（ステップＳ１３）。キー状態のチェックにおいて、パワースイッチ５がオフされた場合には（ステップＳ１４：Ｙｅｓ）、終了処理を行う（ステップＳ１５）。また、撮影ボタン１１がオンされた場合には（ステップＳ１６：Ｙｅｓ）、撮影モードに切換えて図４のステップＳ３に移行する。また、メニューボタン１２がオンされた場合には（ステップＳ１７：Ｙｅｓ）、必要なメニュー処理を実行する（ステップＳ１８）。
【００３０】
さらに、１コマ再生中に、右ボタン１６がオンされた場合には（ステップＳ１９：Ｙｅｓ）、１コマ送り処理を実行し（ステップＳ２０）、左ボタン１５がオンされた場合には（ステップＳ２１：Ｙｅｓ）、１コマ戻り処理を実行する（ステップＳ２２）。同様に、１コマ再生中に、下ボタン１４がオンされた場合には（ステップＳ２３：Ｙｅｓ）、１０コマ送り処理を実行し（ステップＳ２４）、上ボタン１５がオンされた場合には（ステップＳ２５：Ｙｅｓ）、１０コマ戻り処理を実行する（ステップＳ２６）。そして、１コマ再生中に、Ｔボタン９がオンされた場合には（ステップＳ２７：Ｙｅｓ）、１コマ画像についてさらなる拡大表示処理を実行する（ステップＳ２８）。一方、１コマ再生中に、Ｗボタン８がオンされると（ステップＳ２９：Ｙｅｓ）、再生モードにおけるサムネイル画像によるインデックス画像を利用した一覧表示モードとして図６に示す処理に移行する。
【００３１】
一覧表示モードでは、ステップＳ１２の処理で表示画面７ａ上に表示していた１コマ画像の所定の属性情報として撮影日付（年月日）を取得する（ステップＳ３０）。ついで、撮影画像が格納されているメモリ（ＳＤＲＡＭ４２またはメモリカード４５）中から、同じ撮影日付の画像を収集する（ステップＳ３１）。また、撮影日付の情報を、一覧表示する画像（サムネイル画像）の態様で表示画面７ａ上に表示させるために、撮影日付の情報を用いた撮影日付画像（属性情報画像）をサムネイル画像の大きさで生成する（ステップＳ３２）。そして、撮影日付画像を表示画面７ａ上において、一覧表示の先頭位置に表示させ（ステップＳ３３）、この撮影日付画像に続けて、収集した画像をサムネイル画像として一覧表示させる（ステップＳ３４）。この際、一覧表示された画像中から所望の画像選択を行うためのカーソル表示も併せて行う（ステップＳ３５）。
【００３２】
そして、キー入力待ち状態となり、キー状態のチェックを行う（ステップＳ３６）。キー状態のチェックにおいて、パワースイッチ５がオフされた場合には（ステップＳ３７：Ｙｅｓ）、終了処理を行う（ステップＳ３８）。また、撮影ボタン１１がオンされた場合には（ステップＳ３９：Ｙｅｓ）、撮影モードに切換えて図４のステップＳ３に移行する。また、メニューボタン１２がオンされた場合には（ステップＳ４０：Ｙｅｓ）、必要なメニュー処理を実行し（ステップＳ４０ａ）、ステップＳ３６に戻る。
【００３３】
さらに、撮影日付画像を伴う一覧表示中に、Ｔボタン９がオンされると（ステップＳ４１：Ｙｅｓ）、ステップＳ１２の１コマ再生に戻り、カーソル位置の画像を表示する。また、右ボタン１６または下ボタン１４がオンされた場合には（ステップＳ４２：Ｙｅｓ）、カーソルが当該撮影日付の最終コマ画像の位置にいるか否かを判定する（ステップＳ４３）。最終コマ画像の位置であれば（ステップＳ４３：Ｙｅｓ）、特定の属性情報として次の撮影日付の情報を取得し（ステップＳ４４）、ステップＳ３１の処理に移行する。また、最終コマ画像の位置でなければ（ステップＳ４３：Ｎｏ）、カーソルの位置を移動させ（ステップＳ４５）、ステップＳ３６の処理に戻る。一方、左ボタン１５または上ボタン１３がオンされた場合には（ステップＳ４６：Ｙｅｓ）、カーソルが当該撮影日付の最初のコマ画像の位置にいるか否かを判定する（ステップＳ４７）。最初のコマ画像の位置であれば（ステップＳ４７：Ｙｅｓ）、特定の属性情報として前の撮影日付の情報を取得し（ステップＳ４８）、ステップＳ３１の処理に移行する。また、最初のコマ画像の位置でなければ（ステップＳ４７：Ｎｏ）、カーソルの位置を移動させ（ステップＳ４９）、ステップＳ３６の処理に戻る。
【００３４】
ここで、メモリに記憶された撮影済み画像として、Ａ〜Ｉの９枚の画像があり、
画像   撮影日付     撮影モード
Ａ    2007.09.21    ポートレートモード
Ｂ    2007.09.21    スポーツモード
Ｃ    2007.09.21    スポーツモード
Ｄ    2007.09.21    ポートレートモード
Ｅ    2007.09.29    風景モード
Ｆ    2007.09.29    ポートレートモード
Ｇ    2007.09.29    風景モード
Ｈ    2007.10.01    風景モード
Ｉ    2007.10.01    ポートレートモード
の如き撮影日付、撮影モードなる属性情報が付帯されている場合を例にとり、本実施の形態１の画像表示例について、図８〜図１０を参照して説明する。
【００３５】
まず、図８は、ステップＳ３の撮影時待機画面表示の状態にある表示画面７ａの一例を示す模式図である。この画面表示においては、バッテリ残量、撮影モード、シャッタ速度、絞り値、露出補正値、クオリティ（撮影画素数）、ＡＦエリア、メモリカードの種類、記録可能枚数（残枚数）等の撮影に必要な各種情報が表示された状態にある。
【００３６】
このような状態で、再生モードに設定し、Ｅの画像を選択指示すると、表示画面７ａは、ステップＳ１２の処理に従い、図９に示すような表示状態となる。図中、“Ｅ”は、Ｅの画像が１コマ表示されている様子を模式的に示すものである。この１コマ表示においては、撮影モード、撮影日付（年月日）等の情報は、画面上に認識可能な大きさでの表示状態にある。
【００３７】
この図９に示すような１コマ表示の状態で、Ｗボタン８をオンさせると、図６に示したステップＳ３０〜Ｓ３５の処理に従い、図１０−１に示すような表示状態となる。すなわち、１コマ表示されていたＥの画像によって特定される所定の属性情報であるＥの画像の撮影日付（年月日）＝２００７．０９．２９を明示する状態で画像化した撮影日付画像６１が一覧表示の先頭位置に表示され、この撮影日付の画像として収集されたＥ，Ｆ，Ｇの画像６２が、サムネイル画像としてインデックス画像形式で一覧表示される。図中の太枠は、カーソル６３を示している。
【００３８】
また、図１０−１に示す一覧表示状態において、例えば、左ボタン１５または上ボタン１３をオンさせると、ステップＳ４７、Ｓ４８並びにステップＳ３１〜Ｓ３５の処理に従い、図１０−２に示すような表示状態となる。すなわち、１コマ表示されていたＥの画像によって特定される所定の属性情報であるＥの画像の撮影日付（年月日）よりも前の撮影日付（年月日）＝２００７．０９．２１を取得し、日付を明示するように画像化した撮影日付画像６１が一覧表示の先頭位置に表示され、この新たな撮影日付の画像として収集されたＡ，Ｂ，Ｃ，Ｄの画像６２が、サムネイル画像としてインデックス画像形式で一覧表示される。
【００３９】
一方、図１０−１に示す一覧表示状態において、例えば、右ボタン１６または下ボタン１４をオンさせると、ステップＳ４３，Ｓ４５の処理に従い、カーソル枠を移動する。そして、図１０−４に示す一覧表示状態において，右ボタン１６または下ボタン１４をオンさせると、ステップＳ４３，Ｓ４４並びにステップＳ３１〜Ｓ３５の処理に従い、図１０−３に示すような表示状態となる。すなわち、１コマ表示されていたＥの画像によって特定される所定の属性情報であるＥの画像の撮影日付（年月日）よりも後の撮影日付（年月日）＝２００７．１０．０１を取得し、日付を明示するように画像化した撮影日付画像６１が一覧表示の先頭位置に表示され、この新たな撮影日付の画像として収集されたＨ，Ｉの画像６２がサムネイル画像としてインデックス画像形式で一覧表示される。
【００４０】
よって、これら図１０−１〜図１０−３に示す表示画面７ａ上でのサムネイル画像を用いたインデックス画像形式の一覧表示において、所定の属性情報である撮影日付情報と、同じ撮影日付で撮影されて収集された画像とが、併せて一覧表示されるので、個々のサムネイル画像は小さくて撮影日付の認識か困難であっても、先頭に表示されている撮影日付画像６１を見ることによって、一群の画像の撮影日付をそのまま認識することができ、１コマ表示に戻す必要がない。すなわち、図１０−１によれば、Ｅ，Ｆ，Ｇの画像６２は２００７年９月２９日に撮影され、図１０−２によれば、Ａ，Ｂ，Ｃ，Ｄの画像６２は２００７年９月２１日に撮影され、図１０−３によれば、Ｈ，Ｉの画像６２は２００７年１０月０１日に撮影されたことが、簡単かつ正確に分る。また、撮影日付の情報は、撮影日付画像６１として、サムネイル画像表示される画像６２と同じ態様による表示であるので、一覧表示させる上で、違和感なく見やすい表示状態を確保することができる。また、１コマ表示されていた画像（例えば、Ｅの画像）の撮影日付情報を優先させて一覧表示に移行させるので、ユーザにとって、１コマ表示から一覧表示への移行に際しても、違和感がなく、使いやすいものとなる。
【００４１】
（実施の形態２）
実施の形態１では、表示画面７ａにおける一覧表示において、一つの撮影日付の情報と、対応する画像とを同時に表示させるようにしたが、本実施の形態２では、複数の撮影日付（複数の所定の属性情報）と、それぞれの撮影日付を有する画像とを、対応付けて表示画面７ａ上に一覧表示させるようにしたものである。
【００４２】
図１１は、表示制御部５０および属性処理部５１の機能を持たせたＣＰＵ２７により実行される本実施の形態２の特徴部分の表示動作制御例を示す概略フローチャートである。なお、図１１に示す処理は、図６に示した処理に代わるものであり、ステップＳ５０以前の制御例およびステップＳ５６以降の制御例は、それぞれ実施の形態１で説明した場合と同様であり、図示および説明を省略する（以降の実施の形態や変形例においても同様とする）。
【００４３】
一覧表示モードでは、ステップＳ１２の処理で表示画面７ａ上に表示していた１コマ画像の所定の属性情報として撮影日付（年月日）を取得する（ステップＳ５０）。ついで、撮影画像が格納されているメモリ中から、同じ撮影日付の画像を収集する（ステップＳ５１）。また、撮影日付の情報を、一覧表示する画像（サムネイル画像）の態様で表示画面７ａ上に表示させるために、撮影日付の情報を用いた撮影日付画像（属性情報画像）をサムネイル画像の大きさで生成する（ステップＳ５２）。そして、撮影日付画像を表示画面７ａ上において、一覧表示の先頭位置に表示させ（ステップＳ５３）、この撮影日付画像に続けて、収集した画像をサムネイル画像として一覧表示させる（ステップＳ５４）。
【００４４】
ここで、表示画面７ａにおいて一覧表示可能な９コマ分の一覧表示が済んでいるか否かをチェックし（ステップＳ５５）、空きコマ分があれば（ステップＳ５５：Ｎｏ）、次の撮影日付の情報を取得し（ステップＳ５７）、ステップＳ５１に戻る。ついで、撮影画像が格納されているメモリ中から、同じ撮影日付の画像を収集する（ステップＳ５１）。また、撮影日付の情報を用いた撮影日付画像（属性情報画像）をサムネイル画像の大きさで生成する（ステップＳ５２）。そして、撮影日付画像を表示画面７ａ上において、空きコマ領域の先頭位置に表示させ（ステップＳ５３）、この撮影日付画像に続けて、収集した画像をサムネイル画像として一覧表示させる（ステップＳ５４）。このようにして、９コマ分の一覧表示が済んでいる場合には（ステップＳ５５：Ｙｅｓ）、一覧表示された画像中から所望の画像選択を行うためのカーソル表示も併せて行う（ステップＳ５６）。
【００４５】
図１２−１〜図１２−２は、本実施の形態２による場合の一覧表示例を示す模式図である。図９に示したような１コマ表示の状態で、Ｗボタン８をオンさせると、図１１に示すステップＳ５０〜Ｓ５４の処理が実行される。これにより、図１２−１中に示すように、１コマ表示されていたＥの画像によって特定される所定の属性情報であるＥの画像の撮影日付（年月日）＝２００７．０９．２９を明示する状態で画像化した撮影日付画像６１が一覧表示の先頭位置に表示され、この撮影日付の画像として収集されたＥ，Ｆ，Ｇの画像６２が、サムネイル画像としてインデックス画像形式で一覧表示される。さらに、ステップＳ５５：Ｎｏ、ステップＳ５７、ステップＳ５１〜Ｓ５４の処理が実行される。これにより、図１２−１中に示すように、次の撮影日付（年月日）＝２００７．１０．０１を明示する状態で画像化した撮影日付画像６１が、Ｇの画像６２に続く空きコマ領域の先頭位置に表示され、この撮影日付の画像として収集されたＨ，Ｉの画像６２が、サムネイル画像としてインデックス画像形式で一覧表示される。
【００４６】
また、図１２−１に示す一覧表示状態において、例えば、左ボタン１５または上ボタン１３をオンさせると、ステップＳ４７、Ｓ４８並びにステップＳ５１〜Ｓ５４の処理が実行される。これにより、図１２−２中に示すように、まず、Ｅの画像の撮影日付（年月日）よりも前の撮影日付（年月日）＝２００７．０９．２１を取得し、日付を明示するように画像化した撮影日付画像６１が一覧表示の先頭位置に表示され、この撮影日付の画像として収集されたＡ，Ｂ，Ｃ，Ｄの画像６２が、サムネイル画像としてインデックス画像形式で一覧表示される。さらに、ステップＳ５５：Ｎｏ、ステップＳ５７、ステップＳ５１〜Ｓ５４の処理が実行される。これにより、図１２−２中に示すように、次の撮影日付（年月日）＝２００７．０９．２９を明示する状態で画像化した撮影日付画像６１が、Ｄの画像６２に続く空きコマ領域の先頭位置に表示され、この撮影日付の画像として収集されたＥ，Ｆ，Ｇの画像６２が、サムネイル画像としてインデックス画像形式で一覧表示される。
【００４７】
よって、これら図１２−１〜図１２−２に示す表示画面７ａ上でのサムネイル画像を用いたインデックス画像形式の一覧表示において、所定の属性情報である複数の撮影日付情報と、それぞれ同じ撮影日付で撮影されて収集された画像とが、対応付けて一覧表示されるので、個々のサムネイル画像は小さくて撮影日付の認識か困難であっても、各画像群の先頭に表示されている撮影日付画像６１を見ることによって、一群の画像の撮影日付をそのまま認識することができ、１コマ表示に戻す必要がない。すなわち、図１２−１によれば、Ｅ，Ｆ，Ｇの画像６２は２００７年９月２９日に撮影され、Ｈ，Ｉの画像６２は２００７年１０月０１日に撮影されたことが、簡単かつ正確に分る。また、図１０−２によれば、Ａ，Ｂ，Ｃ，Ｄの画像６２は２００７年９月２１日に撮影され、Ｅ，Ｆ，Ｇの画像６２は２００７年９月２９日に撮影されたことが、簡単かつ正確に分る。また、撮影日付の情報は、撮影日付画像６１として、サムネイル画像表示される画像６２と同じ態様による表示であるので、一覧表示させる上で、違和感なく見やすい表示状態を確保することができる。また、複数の撮影日付分を同時に一覧表示可能であるので、極力空きコマ表示部分をなくして、複数の撮影日付情報を同時に認識可能となり、ユーザにとって検索時間の短縮が可能になる等、使いやすいものとなる。
【００４８】
（実施の形態３）
実施の形態１では、画像が有する属性情報中の撮影日時を所定の属性情報とし、撮影日時の情報を年月日の状態で表示させるようにしたが、本実施の形態３では、撮影日時の情報を年月情報と日にち情報とに分け、年月情報をタイトル表示させる一方、日にち情報を撮影日にち画像として画像化して表示させるようにしたものである。
【００４９】
図１３は、表示制御部５０および属性処理部５１の機能を持たせたＣＰＵ２７により実行される本実施の形態３の特徴部分の表示動作制御例を示す概略フローチャートである。なお、図１３に示す処理は、図６に示した処理に代わるものである。
【００５０】
一覧表示モードでは、ステップＳ１２の処理で表示画面７ａ上に表示していた１コマ画像の所定の属性情報として撮影日付（年月日）を取得する（ステップＳ６０）。ついで、撮影画像が格納されているメモリ中から、同じ撮影日付の画像を収集する（ステップＳ６１）。また、撮影日付情報（年月日）中の日にち情報を、一覧表示する画像（サムネイル画像）の態様で表示画面７ａ上に表示させるために、日にちの情報を用いた撮影日にち画像（属性情報画像）をサムネイル画像の大きさで生成する（ステップＳ６２）。そして、撮影日付情報中の年月の情報を表示画面７ａ上のタイトル領域に表示させるとともに（ステップＳ６３）、撮影日にち画像を表示画面７ａ上において、一覧表示の先頭位置に表示させ（ステップＳ６４）、この撮影日にち画像に続けて、収集した画像をサムネイル画像として一覧表示させる（ステップＳ６５）。この際、一覧表示された画像中から所望の画像選択を行うためのカーソル表示も併せて行う（ステップＳ６６）。
【００５１】
図１４−１〜図１４−４は、本実施の形態３による場合の一覧表示例を示す模式図である。図９に示すような１コマ表示の状態で、Ｗボタン８をオンさせると、図１３に示したステップＳ６０〜Ｓ６６の処理に従い、図１４−１に示すような表示状態となる。すなわち、１コマ表示されていたＥの画像によって特定される所定の属性情報であるＥの画像の撮影日付（年月日）＝２００７．０９．２９中の年月情報「２００７年９月」がタイトル領域６４に表示されるとともに、日にちを明示する状態で画像化した撮影日にち画像６５が一覧表示の先頭位置に表示され、この撮影日付の画像として収集されたＥ，Ｆ，Ｇの画像６２が、サムネイル画像としてインデックス画像形式で一覧表示される。
【００５２】
また、図１４−１に示す一覧表示状態において、例えば、左ボタン１５または上ボタン１３をオンさせると、ステップＳ４７、Ｓ４８並びにステップＳ６１〜Ｓ６６の処理に従い、図１４−２に示すような表示状態となる。すなわち、１コマ表示されていたＥの画像によって特定される所定の属性情報であるＥの画像の撮影日付（年月日）よりも前の撮影日付（年月日）＝２００７．０９．２１を取得し、その年月情報「２００７年９月」がタイトル領域６４に表示されるとともに、日にちを明示するように画像化した撮影日にち画像６５が一覧表示の先頭位置に表示され、この新たな撮影日付の画像として収集されたＡ，Ｂ，Ｃ，Ｄの画像６２が、サムネイル画像としてインデックス画像形式で一覧表示される。
【００５３】
一方、図１４−１に示す一覧表示状態において、例えば、右ボタン１６または下ボタン１４をオンさせると、ステップＳ４３，Ｓ４５の処理に従い、カーソル枠を移動する。そして、図１４−４に示す一覧表示状態において，右ボタン１６または下ボタン１４をオンさせると、ステップＳ４３，Ｓ４４並びにステップＳ６１〜Ｓ６６の処理に従い、図１４−３に示すような表示状態となる。すなわち、１コマ表示されていたＥの画像によって特定される所定の属性情報であるＥの画像の撮影日付（年月日）よりも後の撮影日付（年月日）＝２００７．１０．０１を取得し、年月情報「２００７年１０月」がタイトル領域６４に表示されるとともに、日にちを明示するように画像化した撮影日にち画像６５が一覧表示の先頭位置に表示され、この新たな撮影日付の画像として収集されたＨ，Ｉの画像６２が、サムネイル画像としてインデックス画像形式で一覧表示される。
【００５４】
よって、本実施の形態３によれば、実施の形態１の効果に加えて、撮影日付の年月日中から日にち情報のみを抽出して生成した撮影日にち画像６５が一覧表示されるので、サムネイル画像化されて小さい画像であっても日にちの認識が一層容易となる。
【００５５】
（実施の形態４）
実施の形態２では、画像が有する属性情報中の撮影日時を所定の属性情報とし、撮影日時の情報を年月日の状態で表示させるようにしたが、本実施の形態４では、撮影日時の情報を年月情報と日にち情報とに分け、年月情報をタイトル表示させる一方、日にち情報を撮影日にち画像として画像化して表示させるようにしたものである。
【００５６】
図１５は、表示制御部５０および属性処理部５１の機能を持たせたＣＰＵ２７により実行される本実施の形態４の特徴部分の表示動作制御例を示す概略フローチャートである。なお、図１５に示す処理は、図１３に示した処理に代わるものである。
【００５７】
一覧表示モードでは、ステップＳ１２の処理で表示画面７ａ上に表示していた１コマ画像の所定の属性情報として撮影日付（年月日）を取得する（ステップＳ７０）。ついで、撮影日付情報中の年月の情報を表示画面７ａ上のタイトル領域に表示させるとともに（ステップＳ７１）、撮影画像が格納されているメモリ中から、同じ撮影日付の画像を収集する（ステップＳ７２）。また、撮影日付情報（年月日）中の日にち情報を、一覧表示する画像（サムネイル画像）の態様で表示画面７ａ上に表示させるために、日にちの情報を用いた撮影日にち画像（属性情報画像）をサムネイル画像の大きさで生成する（ステップＳ７３）。そして、撮影日にち画像を表示画面７ａ上において、一覧表示の先頭位置に表示させ（ステップＳ７４）、この撮影日にち画像に続けて、収集した画像をサムネイル画像として一覧表示させる（ステップＳ７５）。ここで、一覧表示可能な９コマ分の一覧表示が済んでいるか否かをチェックし（ステップＳ７６）、空きコマ分があれば（ステップＳ７６：Ｎｏ）、次の撮影日付の情報を取得し（ステップＳ７７）、同じ年月であれば（ステップＳ７８：Ｙｅｓ）、ステップＳ７２に戻る。
【００５８】
ついで、撮影画像が格納されているメモリ中から、同じ撮影日付の画像を収集する（ステップＳ７２）。また、撮影日時の日にち情報を用いた撮影日にち画像（属性情報画像）をサムネイル画像の大きさで生成する（ステップＳ７３）。そして、撮影日にち画像を表示画面７ａ上において、空きコマ領域の先頭位置に表示させ（ステップＳ７４）、この撮影日にち画像に続けて、収集した画像をサムネイル画像として一覧表示させる（ステップＳ７５）。このようにして、９コマ分の一覧表示が済んでいる場合には（ステップＳ７６：Ｙｅｓ）、一覧表示された画像中から所望の画像選択を行うためのカーソル表示も併せて行う（ステップＳ７９）。
【００５９】
図１６−１〜図１６−４は、本実施の形態４による場合の一覧表示例を示す模式図である。図９に示したような１コマ表示の状態で、Ｗボタン８をオンさせると、図１５に示したステップＳ７０〜Ｓ７５の処理が実行される。これにより、図１６−１中に示すように、１コマ表示されていたＥの画像によって特定される所定の属性情報であるＥの画像の撮影日付（年月日）＝２００７．０９．２９に基づき、年月情報「２００７年９月」がタイトル領域６４に表示されるとともに、日にちを明示するように画像化した撮影日にち画像６５が一覧表示の先頭位置に表示され、この新たな撮影日付の画像として収集されたＥ，Ｆ，Ｇの画像６２が、サムネイル画像としてインデックス画像形式で一覧表示される。この場合、次の撮影日付＝２００７．１０．０１の情報を有するが、同じ年月でないので、同時には表示されない。
【００６０】
また、図１６−１に示す一覧表示状態において、例えば、左ボタン１５または上ボタン１３をオンさせると、ステップＳ４７、Ｓ４８並びにステップＳ７２〜Ｓ７５の処理が実行される。これにより、図１６−２中に示すように、タイトル領域６４に年月情報「２００７年９月」が表示された状態において、Ｅの画像の撮影日付（年月日）よりも前の撮影日付（年月日）＝２００７．０９．２１を取得し、日にちを明示するように画像化した撮影日にち画像６５が一覧表示の先頭位置に表示され、この撮影日付の画像として収集されたＡ，Ｂ，Ｃ，Ｄの画像６２が、サムネイル画像としてインデックス画像形式で一覧表示される。さらに、ステップＳ７６：Ｎｏ、ステップＳ７７、ステップＳ７８：Ｙｅｓ、ステップＳ７２〜Ｓ７５の処理が実行される。これにより、図１６−２中に示すように、次の撮影日付（年月日）＝２００７．０９．２９中の日にちを明示する状態で画像化した撮影日にち画像６５が、Ｄの画像６２に続く空きコマ領域の先頭位置に表示され、この撮影日付の画像として収集されたＥ，Ｆ，Ｇの画像６２が、サムネイル画像としてインデックス画像形式で一覧表示される。
【００６１】
一方、図１６−１に示す一覧表示状態において、例えば、右ボタン１６または下ボタン１４をオンさせると、ステップＳ４３，Ｓ４５の処理に従い、カーソル枠を移動する。そして、図１６−４に示す一覧表示状態において，右ボタン１６または下ボタン１４をオンさせると、ステップＳ４３，Ｓ４４並びにステップＳ７１以降の処理に従い、図１６−３に示すような表示状態となる。すなわち、１コマ表示されていたＥの画像によって特定される所定の属性情報であるＥの画像の撮影日付（年月日）＝２００７．０９．２９よりも後の撮影日付（年月日）＝２００７．１０．０１に基づき、年月情報「２００７年１０月」がタイトル領域６４に表示されるとともに、日にちを明示するように画像化した撮影日にち画像６５が一覧表示の先頭位置に表示され、この新たな撮影日付の画像として収集されたＨ，Ｉの画像６２が、サムネイル画像としてインデックス画像形式で一覧表示される。
【００６２】
よって、本実施の形態４によれば、実施の形態２および実施の形態３の効果を併せ持つものとなる。
【００６３】
なお、実施の形態３，４に関して、撮影日付中の年月が明らかな場合には、タイトル領域６４における年月表示を省略し、撮影日にち画像６５のみの表示とすることも可能である。
【００６４】
（実施の形態５）
前述の各実施の形態では、属性情報として、撮影日時を対象とし、年月日単位で扱うようにしたが、本実施の形態５では、撮影日時を所定の期間単位で扱い、期間指定を可能としたものである。
【００６５】
まず、本実施の形態５においては、撮影日時が、図１７に示すように、一ヶ月の日にち範囲につき、１日〜１０日が第１グループ、１１日〜２０日が第２グループ、２１日〜３１日が第３グループの如く区分け設定されており、グループ指定による所望の期間指定が可能とされている。
【００６６】
図１８は、表示制御部５０および属性処理部５１の機能を持たせたＣＰＵ２７により実行される本実施の形態５の特徴部分の表示動作制御例を示す概略フローチャートである。なお、図１８に示す処理は、図６に示した処理に代わるものである。
【００６７】
一覧表示モードでは、ステップＳ１２の処理で表示画面７ａ上に表示していた１コマ画像の所定の属性情報として撮影日付（年月日）を取得する（ステップＳ８０）。ついで、撮影日付情報中の年月の情報を表示画面７ａ上のタイトル領域に表示させる（ステップＳ８１）。また、撮影日付が含まれる日にち範囲の指定を受け（ステップＳ８２）、撮影画像が格納されているメモリ中から、指定された日にち範囲内の撮影日付の画像を収集する（ステップＳ８３）。また、指定された日にち範囲情報を、一覧表示する画像（サムネイル画像）の態様で表示画面７ａ上に表示させるために、日にち範囲の情報を用いた日にち範囲画像（属性情報画像）をサムネイル画像の大きさで生成する（ステップＳ８４）。そして、日にち範囲画像を表示画面７ａ上において、一覧表示の先頭位置に表示させ（ステップＳ８５）、この日にち範囲画像に続けて、収集した画像をサムネイル画像として一覧表示させる（ステップＳ８６）。また、一覧表示された画像中から所望の画像選択を行うためのカーソル表示も併せて行う（ステップＳ８７）。
【００６８】
図１９−１〜図１９−３は、本実施の形態５による場合の一覧表示例を示す模式図である。図９に示したような１コマ表示の状態で、Ｗボタン８をオンさせると、図１８に示すステップＳ８０〜Ｓ８７の処理が実行される。これにより、図１９−１中に示すように、１コマ表示されていたＥの画像によって特定される所定の属性情報であるＥの画像の撮影日付（年月日）＝２００７．０９．２９に基づき、年月情報「２００７年９月」がタイトル領域６４に表示される。また、この撮影日付を含む日にち範囲として指定された例えば第３グループのパターン（２１日〜３１日）に従い、その日にち範囲を明示するように画像化した日にち範囲画像６７が一覧表示の先頭位置に表示され、この日にち範囲の画像として収集されたＡ〜Ｇの画像６２が、サムネイル画像としてインデックス画像形式で一覧表示される。
【００６９】
一方、図１９−１に示す一覧表示状態において、例えば、右ボタン１６または下ボタン１４をオンさせると、ステップＳ４３，Ｓ４５の処理に従い、カーソル枠を移動する。そして、図１９−３に示す一覧表示状態において，右ボタン１６または下ボタン１４をオンさせると、ステップＳ４３，Ｓ４４並びにステップＳ８１以降の処理に従い、図１９−２に示すような表示状態となる。すなわち、１コマ表示されていたＥの画像によって特定される所定の属性情報であるＥの画像の撮影日付（年月日）＝２００７．０９．２９よりも後の撮影日付（年月日）＝２００７．１０．０１に基づき、年月情報「２００７年１０月」がタイトル領域６４に表示される。また、この撮影日付を含む日にち範囲として新たに指定された例えば第１グループのパターン（１日〜１０日）に従い、その日にち範囲を明示するように画像化した日にち範囲画像６７が一覧表示の先頭位置に表示され、この日にち範囲の画像として収集されたＨ，Ｉの画像６２が、サムネイル画像としてインデックス画像形式で一覧表示される。
【００７０】
よって、本実施の形態５によれば、属性情報である撮影日時を所定の期間単位で扱い、期間指定を可能としたので、融通性が高く、ユーザにとって使いやすいものとなる。
【００７１】
（実施の形態６）
前述の実施の形態１〜４では、属性情報として、撮影日時を対象とし、年月日単位で扱うようにしたが、本実施の形態６では、撮影日時を年月単位で扱うようにしたものである。
【００７２】
図２０は、表示制御部５０および属性処理部５１の機能を持たせたＣＰＵ２７により実行される本実施の形態６の特徴部分の表示動作制御例を示す概略フローチャートである。なお、図２０に示す処理は、図６に示した処理に代わるものである。
【００７３】
一覧表示モードでは、ステップＳ１２の処理で表示画面７ａ上に表示していた１コマ画像の所定の属性情報として撮影日付（年月）を取得する（ステップＳ９０）。ついで、撮影画像が格納されているメモリ中から、同じ撮影日付（年月）の画像を収集する（ステップＳ９１）。また、撮影日付情報（年月）中の月情報を、一覧表示する画像（サムネイル画像）の態様で表示画面７ａ上に表示させるために、月情報を用いた撮影月画像（属性情報画像）をサムネイル画像の大きさで生成する（ステップＳ９２）。そして、撮影日付情報中の年の情報を表示画面７ａ上のタイトル領域に表示させるとともに（ステップＳ９３）、撮影月画像を表示画面７ａ上において、一覧表示の先頭位置に表示させ（ステップＳ９４）、この撮影月画像に続けて、収集した画像をサムネイル画像として一覧表示させる（ステップＳ９５）。この際、一覧表示された画像中から所望の画像選択を行うためのカーソル表示も併せて行う（ステップＳ９６）。
【００７４】
図２１−１〜図２１−３は、本実施の形態６による場合の一覧表示例を示す模式図である。図９に示したような１コマ表示の状態で、Ｗボタン８をオンさせると、図２０に示すステップＳ９０〜Ｓ９６の処理が実行される。これにより、図２１−１中に示すように、１コマ表示されていたＥの画像によって特定される所定の属性情報であるＥの画像の撮影日付（年月）＝２００７．０９に基づき、年情報「２００７年」がタイトル領域６４に表示されるとともに、月を明示するように画像化した撮影月画像６８が一覧表示の先頭位置に表示され、この撮影月の画像として収集されたＡ〜Ｇの画像６２が、サムネイル画像としてインデックス画像形式で一覧表示される。
【００７５】
一方、図２１−１に示す一覧表示状態において、例えば、右ボタン１６または下ボタン１４をオンさせると、ステップＳ４３，Ｓ４５の処理に従い、カーソル枠を移動する。そして、図２１−３に示す一覧表示状態において，右ボタン１６または下ボタン１４をオンさせると、ステップＳ４３，Ｓ４４並びにステップＳ９１以降の処理に従い、図２１−２に示すような表示状態となる。すなわち、１コマ表示されていたＥの画像によって特定される所定の属性情報であるＥの画像の撮影日付（年月）＝２００７．０９よりも後の撮影日付（年月）＝２００７．１０に基づき、年情報「２００７年」がタイトル領域６４に表示されるとともに、月を明示するように画像化した撮影月画像６８が一覧表示の先頭位置に表示され、この撮影月の画像として収集されたＨ，Ｉの画像６２が、サムネイル画像としてインデックス画像形式で一覧表示される。
【００７６】
よって、本実施の形態６によれば、属性情報である撮影日時を年月単位で扱うようにしたので、細かい日時の区分けが不要な場合に、ユーザにとって使いやすいものとなる。
【００７７】
（実施の形態７）
上述の各実施の形態では、画像が有する所定の属性情報として、撮影日時の情報を対象としたが、本実施の形態７では、撮影モードの情報を所定の属性情報の対象としたものである。
【００７８】
図２２は、表示制御部５０および属性処理部５１の機能を持たせたＣＰＵ２７により実行される本実施の形態７の特徴部分の表示動作制御例を示す概略フローチャートである。なお、図２２に示す処理は、図６に示した処理に代わるものである。
【００７９】
一覧表示モードでは、ステップＳ１２の処理で表示画面７ａ上に表示していた１コマ画像の所定の属性情報として撮影モードの情報を取得する（ステップＳ１００）。ついで、撮影画像が格納されているメモリ中から、同じ撮影モードの画像を収集する（ステップＳ１０１）。また、撮影モード情報を、一覧表示する画像（サムネイル画像）の態様で表示画面７ａ上に表示させるために、撮影モード情報を用いた撮影モード画像（属性情報画像）をサムネイル画像の大きさで生成する（ステップＳ１０２）。そして、撮影モード画像を表示画面７ａ上において、一覧表示の先頭位置に表示させ（ステップＳ１０３）、この撮影モード画像に続けて、収集した画像をサムネイル画像として一覧表示させる（ステップＳ１０４）。
【００８０】
ここで、一覧表示可能な９コマ分の一覧表示が済んでいるか否かをチェックし（ステップＳ１０５）、空きコマ分があれば（ステップＳ１０５：Ｎｏ）、次の撮影モードの情報を取得し（ステップＳ１０７）、ステップＳ１０１に戻る。ついで、撮影画像が格納されているメモリ中から、同じ撮影モードの画像を収集する（ステップＳ１０１）。また、撮影モード情報を、一覧表示する画像（サムネイル画像）の態様で表示画面７ａ上に表示させるために、撮影モード情報を用いた撮影モード画像（属性情報画像）をサムネイル画像の大きさで生成する（ステップＳ１０２）。そして、撮影モード画像を表示画面７ａ上において、一覧表示の先頭位置に表示させ（ステップＳ１０３）、この撮影モード画像に続けて、収集した画像をサムネイル画像として一覧表示させる（ステップＳ１０４）。このようにして、９コマ分の一覧表示が済んでいる場合には（ステップＳ１０５：Ｙｅｓ）、一覧表示された画像中から所望の画像選択を行うためのカーソル表示も併せて行う（ステップＳ１０６）。
【００８１】
図２３−１〜図２３−３は、本実施の形態７による場合の一覧表示例を示す模式図である。図９に示したような１コマ表示の状態で、Ｗボタン８をオンさせると、図２２に示すステップＳ１００〜Ｓ１０５の処理が実行される。これにより、図２３−１中に示すように、１コマ表示されていたＥの画像によって特定される所定の属性情報であるＥの画像の撮影モード＝風景モードに基づき、この風景モードを明示するように画像化した撮影モード画像６９が一覧表示の先頭位置に表示され、この撮影モードの画像として収集されたＥ，Ｇ，Ｈの画像６２が、サムネイル画像としてインデックス画像形式で一覧表示される。
【００８２】
さらに、ステップＳ１０５：Ｎｏ、ステップＳ１０７、ステップＳ１０１〜Ｓ１０４の処理が実行される。これにより、図２３−１中に示すように、次の撮影モードであるポートレートモードを明示する状態で画像化した撮影モード画像６９が、Ｈの画像６２に続く空きコマ領域の先頭位置に表示され、この撮影モードの画像として収集されたＡ，Ｄ，Ｆ，Ｉの画像６２が、サムネイル画像としてインデックス画像形式で一覧表示される。
【００８３】
一方、図２３−１に示す一覧表示状態において、例えば、右ボタン１６または下ボタン１４をオンさせると、ステップＳ４３，Ｓ４５の処理に従い、カーソル枠を移動する。そして、図２３−３に示す一覧表示状態において，右ボタン１６または下ボタン１４をオンさせると、ステップＳ４３，Ｓ４４並びにステップＳ１０１以降の処理に従い、図２３−２に示すような表示状態となる。すなわち、ポートレートモードの次の撮影モードであるスポーツモードを明示する状態で画像化した撮影モード画像６９が一覧表示の先頭位置に表示され、この撮影モードの画像として収集されたＢ，Ｃの画像６２が、サムネイル画像としてインデックス画像形式で一覧表示される。
【００８４】
よって、本実施の形態７によれば、表示画面７ａ上でのサムネイル画像を用いたインデックス画像形式の一覧表示において、所定の属性情報である撮影モード情報と、同じ撮影モードで撮影されて収集された画像とが、併せて一覧表示されるので、個々のサムネイル画像は小さくて撮影モードの認識か困難であっても、先頭に表示されている撮影モード画像６９を見ることによって、一群の画像の撮影モードをそのまま認識することができ、１コマ表示に戻す必要がない。また、撮影モードの情報は、撮影モード画像６９として、サムネイル画像表示される画像６２と同じ態様による表示であるので、一覧表示させる上で、違和感なく見やすい表示状態を確保することができる。また、１コマ表示されていた画像（例えば、Ｅの画像）の撮影モード情報を優先させて一覧表示に移行させるので、ユーザにとって、１コマ表示から一覧表示への移行に際しても、違和感がなく、使いやすいものとなる。
【００８５】
本発明は、上述した実施の形態に限らず、本発明の趣旨を逸脱しない範囲であれば、種々の変形が可能である。例えば、上述の実施の形態では、所定の属性情報を撮影日時や撮影モードの例として説明したが、目的・用途によっては、これらに限らず、画像の編集日時、撮影場所、撮影者、焦点距離、画像サイズ、ＩＳＯ感度、シャッタ速度、絞り値、開放絞り値、露出補正値、フラッシュ発光の有無、フラッシュ光量補正値、ホワイトバランス、あるいはホワイトバランス補正値等の情報を対象として用いてもよく、或いは、撮影日時や撮影モードを含めて、これらを適宜組み合わせた属性情報としてもよい。
【００８６】
また、属性情報を一覧表示する画像の態様の画像の画像例としては、図示例に限らず、適宜画像例を用いればよく、要は、対象となる属性情報の内容がサムネイル画像の大きさで分りやすければよい。また、一覧表示するサムネイル画像の数は、９コマ分に限られないのはもちろんである。
【図面の簡単な説明】
【００８７】
【図１】本発明の実施の形態１にかかるデジタルカメラの外観を示す概略正面図である。
【図２】図１の概略背面図である。
【図３】デジタルカメラのハードウエア構成例を示す概略ブロック図である。
【図４】実施の形態１における動作制御例の前半部分を示す概略メインフローチャートである。
【図５】動作制御例の後半部分を示す概略メインフローチャートである。
【図６】図５の処理に続く特徴部分の表示動作制御例を示す概略フローチャートである。
【図７】図６の処理に続く動作制御例を示す概略フローチャートである。
【図８】撮影時待機画面表示の状態にある表示画面の一例を示す模式図である。
【図９】１コマ再生状態にある表示画面の一例を示す模式図である。
【図１０−１】一覧表示状態にある表示画面の一例を示す模式図である。
【図１０−２】一覧表示状態にある表示画面の一例を示す模式図である。
【図１０−３】一覧表示状態にある表示画面の一例を示す模式図である。
【図１０−４】一覧表示状態にある表示画面の一例を示す模式図である。
【図１１】本発明の実施の形態２の特徴部分の表示動作制御例を示す概略フローチャートである。
【図１２−１】一覧表示状態にある表示画面の一例を示す模式図である。
【図１２−２】一覧表示状態にある表示画面の一例を示す模式図である。
【図１３】本発明の実施の形態３の特徴部分の表示動作制御例を示す概略フローチャートである。
【図１４−１】一覧表示状態にある表示画面の一例を示す模式図である。
【図１４−２】一覧表示状態にある表示画面の一例を示す模式図である。
【図１４−３】一覧表示状態にある表示画面の一例を示す模式図である。
【図１４−４】一覧表示状態にある表示画面の一例を示す模式図である。
【図１５】本発明の実施の形態４の特徴部分の表示動作制御例を示す概略フローチャートである。
【図１６−１】一覧表示状態にある表示画面の一例を示す模式図である。
【図１６−２】一覧表示状態にある表示画面の一例を示す模式図である。
【図１６−３】一覧表示状態にある表示画面の一例を示す模式図である。
【図１６−４】一覧表示状態にある表示画面の一例を示す模式図である。
【図１７】日にち範囲のパターン例を示す説明図である。
【図１８】本発明の実施の形態５の特徴部分の表示動作制御例を示す概略フローチャートである。
【図１９−１】一覧表示状態にある表示画面の一例を示す模式図である。
【図１９−２】一覧表示状態にある表示画面の一例を示す模式図である。
【図１９−３】一覧表示状態にある表示画面の一例を示す模式図である。
【図２０】本発明の実施の形態６の特徴部分の表示動作制御例を示す概略フローチャートである。
【図２１−１】一覧表示状態にある表示画面の一例を示す模式図である。
【図２１−２】一覧表示状態にある表示画面の一例を示す模式図である。
【図２１−３】一覧表示状態にある表示画面の一例を示す模式図である。
【図２２】本発明の実施の形態７の特徴部分の表示動作制御例を示す概略フローチャートである。
【図２３−１】一覧表示状態にある表示画面の一例を示す模式図である。
【図２３−２】一覧表示状態にある表示画面の一例を示す模式図である。
【図２３−３】一覧表示状態にある表示画面の一例を示す模式図である。
【符号の説明】
【００８８】
７ａ  表示画面
２７  ＣＰＵ
４２  ＳＤＲＡＭ
４５  メモリカード
５０  表示制御部
５１  属性処理部
６１  撮影日付画像
６２  画像
６５  撮影日にち画像
６７  日にち範囲画像
６８  撮影月画像
６９  撮影モード画像
【図１】
2009141426.tif 000003
【図２】
2009141426.tif 000004
【図３】
2009141426.tif 000005
【図４】
2009141426.tif 000006
【図５】
2009141426.tif 000007
【図６】
2009141426.tif 000008
【図７】
2009141426.tif 000009
【図８】
2009141426.tif 000010
【図９】
2009141426.tif 000011
【図１０−１】
2009141426.tif 000012
【図１０−２】
2009141426.tif 000013
【図１０−３】
2009141426.tif 000014
【図１０−４】
2009141426.tif 000015
【図１１】
2009141426.tif 000016
【図１２−１】
2009141426.tif 000017
【図１２−２】
2009141426.tif 000018
【図１３】
2009141426.tif 000019
【図１４−１】
2009141426.tif 000020
【図１４−２】
2009141426.tif 000021
【図１４−３】
2009141426.tif 000022
【図１４−４】
2009141426.tif 000023
【図１５】
2009141426.tif 000024
【図１６−１】
2009141426.tif 000025
【図１６−２】
2009141426.tif 000026
【図１６−３】
2009141426.tif 000027
【図１６−４】
2009141426.tif 000028
【図１７】
2009141426.tif 000029
【図１８】
2009141426.tif 000030
【図１９−１】
2009141426.tif 000031
【図１９−２】
2009141426.tif 000032
【図１９−３】
2009141426.tif 000033
【図２０】
2009141426.tif 000034
【図２１−１】
2009141426.tif 000035
【図２１−２】
2009141426.tif 000036
【図２１−３】
2009141426.tif 000037
【図２２】
2009141426.tif 000038
【図２３−１】
2009141426.tif 000039
【図２３−２】
2009141426.tif 000040
【図２３−３】
2009141426.tif 000041